(57)【要約】【課題】３線信号のみを活用し、曲間情報を損なうことなく、曲単位に音楽データを記録媒体に録音することができるデータ再生記録装置を提供する。【解決手段】このデータ再生記録装置は、第一の記録媒体１２０に記録されたデータを再生し、必要なデータと不要なデータとを識別するためのコードをデータの空き領域に埋め込んで、データ及びクロック信号を出力するデータ再生手段１０４と、データ再生手段１０４からのデータ及びクロック信号を入力し、前記コードに基づき不要なデータに対応するクロック信号を停止しつつデータ及びクロック信号を出力するデータ転送手段１０６と、データ転送手段１０６からのデータ及びクロック信号を入力し、前記クロック信号に基づいて必要なデータのみを第二の記録媒体１２２に記録するデータ記録手段１０８と、を具備するように構成される。【選択図】図１
2008016094.tif 000002
【特許請求の範囲】
【請求項１】
第一の記録媒体に記録されたデータを再生し、必要なデータと不要なデータとを識別するためのコードをデータの空き領域に埋め込んで、データ及びクロック信号を出力するデータ再生手段からの該データ及びクロック信号を入力し、前記コードに基づき不要なデータに対応するクロック信号を停止しつつデータ及びクロック信号を出力するデータ転送手段を備え、
前記データ転送手段からの前記クロック信号に基づいて必要なデータのみを第二の記録媒体に記録させるようにした
ことを特徴とするデータ転送制御装置。
【請求項２】
第一の記録媒体に記録されたデータを再生し、必要なデータと不要なデータとを識別するためのコードをデータの空き領域に埋め込んで、データ及びクロック信号を出力するデータ再生手段と、
前記データ再生手段からのデータ及びクロック信号を入力し、前記コードに基づき不要なデータに対応するクロック信号を停止しつつデータ及びクロック信号を出力するデータ転送手段と、
前記データ転送手段からのデータ及びクロック信号を入力し、前記クロック信号に基づいて必要なデータのみを第二の記録媒体に記録するデータ記録手段と、
を具備することを特徴とするデータ再生記録装置。
【請求項３】
前記データ再生手段は、３線式シリアルインタフェースのデータ転送方式でデータを出力し、前記データ転送手段は、クロック信号ＬＲＣＫ又はＢＣＫのうちの少なくとも一方の転送を停止する、請求項２に記載のデータ再生記録装置。
【請求項４】
前記データ再生手段は、更に、データに対するエラー検出及び訂正符号をデータの空き領域に埋め込んで出力する、請求項２に記載のデータ再生記録装置。
【請求項５】
前記データ再生手段は、更に、再生速度情報をデータの空き領域に埋め込んで出力する、請求項２に記載のデータ再生記録装置。
【請求項６】
前記データ再生手段は、更に、音楽データに適したフィルタ情報をデータの空き領域に埋め込んで出力する、請求項２に記載のデータ再生記録装置。
【請求項７】
前記データ再生手段は、更に、音楽データに関するアーティスト及び楽曲情報をデータの空き領域に埋め込んで出力する、請求項２に記載のデータ再生記録装置。
【請求項８】
第一の記録媒体に記録されたデータを再生し、必要なデータと不要なデータとを識別するためのコードをデータの空き領域に埋め込んで、データ及びクロック信号を出力するデータ再生ステップと、
前記データ再生ステップによって出力されたデータ及びクロック信号を入力し、前記コードに基づき不要なデータに対応するクロック信号を停止しつつデータ及びクロック信号を出力するデータ転送ステップと、
前記データ転送ステップによって出力されたデータ及びクロック信号を入力し、前記クロック信号に基づいて必要なデータのみを第二の記録媒体に記録するデータ記録ステップと、
を具備することを特徴とするデータ再生記録方法。
【発明の詳細な説明】
【技術分野】
【０００１】
本発明は、音楽データ等のデータが記録された記録媒体から、それに記録されたデータを再生し、それを他の記録媒体に記録するデータ再生記録装置に関する。
【背景技術】
【０００２】
例えば、車載用オーディオ環境では、ＣＤプレーヤ等のデータ再生装置を備え、その再生装置で再生した音楽を音声再生系等により鑑賞することができるのみならず、例えば数十Ｇ（ギガ）バイトといった大容量のハードディスク（以下、ＨＤという。）を備え、ＣＤ等の記録媒体を多数個分ハードディスクにダビングしておき、そのハードディスクから任意の音楽プログラムを選んで音楽再生系等により再生して鑑賞することができるようにされている。
【０００３】
再生された音楽データを録音の必要なデータと不要なデータとに区別すべく録音有効期間と録音無効期間とを判定して録音制御を行う従来技術として、例えば、以下のものが知られている。すなわち、下記特許文献１には、再生信号に含まれる識別情報を判断して、録音側で録音の走行モードを制御するデジタル録音再生装置が開示されている。また、下記特許文献２には、伝送すべきデータがない場合もデータブロックに無効データ識別子をつけて見かけ上連続に送るデータ伝送方式が開示されている。また、下記特許文献３には、コピーするか又はしないかのデータを再生信号に付加して録音装置に送り録音動作を制御するダビング装置が開示されている。また、下記特許文献４には、ＳＰＡＣＥ信号によって曲間データを含む１曲分のデータを切り出す情報再生記録装置が開示されている。
【０００４】
ところで、音楽ＣＤには複数の曲が入っており、曲間は無音であったり、または連続した音楽データであったりする。下記特許文献１〜３による技術では、曲間が無音ではなく有効な音楽データであった場合、リッピングすると曲間データがなくなり、音切れが発生してしまうという問題がある。
【０００５】
下記特許文献４による技術では、ＣＤデッキから録音制御部までにＳＰＡＣＥ信号を接続する必要があるところ、ＳＰＡＣＥ信号が立ち上がる又は立ち下がる際のタイミング精度がシビアで、精度が悪いと無効データを有効として取り込む又は有効データを無効データとして取り込む可能性がある。すなわち、データ、ビットクロック及びＬＲクロックからなる３線信号にＳＰＡＣＥ信号が同期している必要があり、受信側に同期を取る手段が必要となる。また、接続する線の本数が増えるため、コストの上昇を招く。
【０００６】
【特許文献１】特開平５−１２８６３７号公報
【特許文献２】特開昭５９−１６９２６９号公報
【特許文献３】特許第２７３３４７７号公報
【特許文献４】特開２００６−１２３９２号公報
【発明の開示】
【発明が解決しようとする課題】
【０００７】
本発明は、上述した問題点に鑑みてなされたものであり、その目的は、３線信号のみを活用することで信号数の削減及び同期手段の不要化を図りつつ、音楽データの曲間が無音であるなしにかかわらず、曲間データを含めた曲単位で圧縮してリッピングすることで、曲間の音切れが発生しないようにして、音楽ＣＤの曲間情報を損なうことなく、曲（トラック）単位に音楽データをＨＤ等の記録媒体に録音することができるデータ再生記録装置を提供することにある。
【課題を解決するための手段】
【０００８】
上記目的を達成するために、本発明によれば、第一の記録媒体に記録されたデータを再生し、必要なデータと不要なデータとを識別するためのコードをデータの空き領域に埋め込んで、データ及びクロック信号を出力するデータ再生手段と、前記データ再生手段からのデータ及びクロック信号を入力し、前記コードに基づき不要なデータに対応するクロック信号を停止しつつデータ及びクロック信号を出力するデータ転送手段と、前記データ転送手段からのデータ及びクロック信号を入力し、前記クロック信号に基づいて必要なデータのみを第二の記録媒体に記録するデータ記録手段と、を具備することを特徴とするデータ再生記録装置が提供される。
【０００９】
また、本発明によれば、第一の記録媒体に記録されたデータを再生し、必要なデータと不要なデータとを識別するためのコードをデータの空き領域に埋め込んで、データ及びクロック信号を出力するデータ再生ステップと、前記データ再生ステップによって出力されたデータ及びクロック信号を入力し、前記コードに基づき不要なデータに対応するクロック信号を停止しつつデータ及びクロック信号を出力するデータ転送ステップと、前記データ転送ステップによって出力されたデータ及びクロック信号を入力し、前記クロック信号に基づいて必要なデータのみを第二の記録媒体に記録するデータ記録ステップと、を具備することを特徴とするデータ再生記録方法が提供される。
【発明の効果】
【００１０】
本発明によるデータ再生記録装置にあっては、３線式シリアルインタフェース等における少ない信号線数で４倍速録音などの高速リッピングが可能となり、曲間に無音ではないデータが入っている音楽ＣＤをリッピングしても、曲間データを損なわず、かつ、曲のつながりに違和感がないように圧縮して録音することができる。
【発明を実施するための最良の形態】
【００１１】
以下、添付図面を参照して本発明の実施形態について説明する。図１は、本発明によるデータ再生記録装置の一実施形態としての音楽データ再生記録装置１００を示すブロック図である。同図に示されるように、この音楽データ再生記録装置１００は、システムコントローラ１０２、データ再生手段としての音楽データ再生部１０４、データ転送手段としての録音有効期間制御部１０６及びデータ記録手段としての高速エンコーダ１０８を備える。
【００１２】
システムコントローラ１０２は、所定のシステムプログラムを実行することにより音楽データ再生記録装置１００の全体の動作を制御する。また、システムコントローラ１０２は、ユーザにより操作される操作部（図示せず）からの信号を受け、音楽データ再生部１０４に再生指示をする。更に、システムコントローラ１０２は、高速エンコーダ１０８から、ある曲についてのエンコードと第二の記録媒体としてのハードディスク（ＨＤ）１２２への記録処理の完了とを示す処理完了信号を受けると、次の曲の頭から再生するように音楽データ再生部１０４に指示する。
【００１３】
音楽データ再生部１０４には、複数の音楽データが記録された第一の記録媒体としてのＣＤ（ＭＤ又はＤＶＤ）１２０が装着され、音楽データ再生部１０４は、その装着されたＣＤ１２０に記録されたデータを再生し、その際、データの記録時における回転速度と実質的に等しい通常回転速度により駆動する第１の状態と、通常回転速度に対し、例えば、その４倍の高回転速度で駆動する第２の状態と、を選択的に切り換えることができる。
尚、このような音楽データ再生部１０４から音楽データに基づく音声が図示せぬスピーカ等から出力される。またＨＤに記憶されている音楽データからの音声も出力可能である。
【００１４】
そして、音楽データ再生部１０４は、再生された音楽データを３線式シリアルインタフェースのデータ転送方式で録音有効期間制御部１０６に送出する。３線式シリアルインタフェースでは、データ信号ＤＡＴＡ並びにクロック信号ＬＲＣＫ及びＢＣＫが使用される。ここで、クロック信号ＬＲＣＫは、左（Ｌ）チャネルデータと右（Ｒ）チャネルデータとを識別するための信号である。また、クロック信号ＢＣＫは、データの１ビットを識別するための信号である。また、データ信号ＤＡＴＡは、デジタル形式の音楽データを表す。
【００１５】
３線式シリアルインタフェースのデータ転送方式では、転送データに音楽データの曲間を含む曲の開始と終わりの情報がないため、本発明における音楽データ再生部１０４は、曲間データを含め曲の開始と終わりを識別可能とする録音有効期間コードを生成しデータ信号ＤＡＴＡに乗せて録音有効期間制御部１０６へ出力する。その詳細は後述される。
【００１６】
データ転送制御装置にあたる録音有効期間制御部１０６は、録音有効期間コードをデコードして録音有効期間を識別し、録音有効期間には高速エンコーダ１０８へ３線式シリアルインタフェースで音楽データを転送する。音楽データは、高速エンコーダ１０８で圧縮された後、記録媒体たるＨＤ１２２に保存される。具体的には、録音有効期間制御部１０６は、録音無効期間において３線式シリアルインタフェースを停止させることで、録音の必要のない無効データが高速エンコーダ１０８で処理されないようにする。
【００１７】
３線式シリアルインタフェースの信号のうち録音有効期間制御部１０６が転送を停止する信号は、クロック信号ＬＲＣＫ又はＢＣＫのうちの少なくとも一方である。高速エンコーダ１０８は、クロック信号すなわち音楽データの転送が停止されている間は、圧縮処理とＨＤ１２２への記録処理とを停止するため、無効データがＨＤ１２２へ記録されることはない。
【００１８】
図２は、図１の音楽データ再生記録装置１００におけるデータ転送の様子を示すタイムチャートである。図２（Ａ）に示されるように、音楽データ再生部１０４からの再生データは、曲間データ、音楽データ及び無効データからなる。ここで、無効データは、ＨＤ１２２へ記録される必要のないデータである。したがって、曲間データ及び音楽データが録音有効期間を構成し、無効データが録音無効期間を構成する。
【００１９】
そして、図２（Ｂ）に示されるように、音楽データ再生部１０４から録音有効期間制御部１０６に出力されるクロック信号ＬＲＣＫは、録音無効期間においても有効である。しかし、図２（Ｃ）に示されるように、録音有効期間制御部１０６から高速エンコーダ１０８に出力されるクロック信号ＬＲＣＫは、録音無効期間において停止すなわち無効化される。これにより、曲間データ及び音楽データのみをＨＤ１２２へ記録することが可能となる。すなわち、コピーが許可されている一連の音楽データが、１曲ずつ、曲間データを含めて切り出され録音される。以下、録音有効期間を識別するためのコードについて説明する。
【００２０】
図３は、図２における部分２０２を拡大して示す図である。なお、この例は、一つのＬＲＣＫ期間に６４ビットのデータが含まれる場合を示している。この図に示されるように、ＬＲＣＫ信号がハイレベルの期間は、Ｌ（左）チャネル用の３２ビットのデータに対応し、同様に、ＬＲＣＫ信号がロウレベルの期間は、Ｒ（右）チャネル用の３２ビットのデータに対応する。しかし、かかる３２ビットのデータのうち、音楽データの格納に実際に使用されているのはその半分の１６ビット（以下、データ格納領域という。）であり、残りの１６ビットは空き領域となっている。本発明は、この空き領域を有効に利用して録音有効期間を識別するためのコードを埋め込む。以下、具体的な実施形態について説明する。
【００２１】
図４は、本発明の第一実施形態について説明するためのタイムチャートである。クロック信号ＬＲＣＫ及びデータ信号ＤＡＴＡに関し、図４（Ａ）に示されるように録音有効期間が存在するものとする。そして、図４（Ａ）の区間４０２、４０４及び４０６におけるＤＡＴＡの詳細が、それぞれ、図４（Ｂ）、（Ｃ）及び（Ｄ）に示される。
【００２２】
この第一実施形態では、音楽データ再生部１０４は、図４（Ｂ）に示されるように、録音有効期間の直前の一つのＬＲＣＫクロック区間４０２において、Ｌチャネルデータ空き領域に（００ＦＦ）16を埋め込むとともにＲチャネルデータ空き領域に（ＦＦ００）16を埋め込む。空き領域全体としては、（００ＦＦＦＦ００）16となる。次いで、音楽データ再生部１０４は、図４（Ｃ）に示されるように、録音有効期間中のＬＲＣＫクロック区間４０４において、空き領域をブランクにして送る。
【００２３】
さらに、音楽データ再生部１０４は、図４（Ｄ）に示されるように、録音有効期間の最後のＬＲＣＫクロック区間４０６において、Ｌチャネルデータ空き領域に（ＦＦ００）16を埋め込むとともにＲチャネルデータ空き領域に（００ＦＦ）16を埋め込む。空き領域全体としては、（ＦＦ００００ＦＦ）16となる。このようなコードを認識することで、録音有効期間制御部１０６は、録音有効期間を識別することができ、さらには、高速エンコーダ１０８に出力されるクロック信号ＬＲＣＫを制御することができる。
【００２４】
図５は、かかる第一実施形態の録音制御を示すフローチャートである。まず、ステップ５０２において、ユーザからの再生指示するための操作を受けると、システムコントローラ１０２から、音楽データ再生部１０４へ、ｎ番目の曲１曲分についてＣＤを回転駆動させて音楽データを読み出す指示（再生指示）が出される。
【００２５】
次いで、ステップ５０４において、音楽データ再生部１０４から、録音有効期間制御部１０６へ、ビットクロック信号ＢＣＫ、チャネルクロック信号ＬＲＣＫ及びデータ信号ＤＡＴＡが出力される。その際、図４にて説明したように、音楽データ再生部１０４は、ｎ番目の曲に入る一つ前のＬＲＣＫに対応するＤＡＴＡ空き領域に（００ＦＦＦＦ００）16のコードを出力する一方、ｎ番目の曲の最後のＬＲＣＫに対応するＤＡＴＡ空き領域に（ＦＦ００００ＦＦ）16のコードを出力する。
【００２６】
次いで、ステップ５０６において、録音有効期間制御部１０６は、ＤＡＴＡ空き領域に（００ＦＦＦＦ００）16のコードを検出した場合、録音ＯＮフラグを１にセットする一方、ＤＡＴＡ空き領域に（ＦＦ００００ＦＦ）16のコードを検出した場合、録音ＯＮフラグを０にリセットする。
【００２７】
次いで、ステップ５０８において、録音有効期間制御部１０６は、録音ＯＮフラグが１か０かを判定する。そして、録音ＯＮフラグが１の場合には、ステップ５１０に進み、録音有効期間制御部１０６は、高速エンコーダ１０８へ、３線信号ＢＣＫ、ＬＲＣＫ及びＤＡＴＡをそのまま出力し、ステップ５０６に戻る。
【００２８】
一方、録音ＯＮフラグが０の場合には、ステップ５１２に進み、録音有効期間制御部１０６は、高速エンコーダ１０８へ、３線信号ＢＣＫ、ＬＲＣＫ及びＤＡＴＡのうちＬＲＣＫを止めて出力する。また、高速エンコーダ１０８は、記録媒体１２２への転送完了後、システムコントローラ１０２へ録音終了を通知する。そして、ステップ５０２に戻る。
【００２９】
図６は、本発明の第二実施形態について説明するためのタイムチャートである。クロック信号ＬＲＣＫ及びデータ信号ＤＡＴＡに関し、図６（Ａ）に示されるように録音有効期間が存在するものとする。そして、図６（Ａ）の区間６０２におけるＤＡＴＡの詳細が図６（Ｂ）に示され、図６（Ａ）の区間６０４におけるＤＡＴＡの詳細が図６（Ｃ）に示される。
【００３０】
この実施形態では、録音有効期間に属するＤＡＴＡであるか否かが、そのＤＡＴＡに対応するＬＲＣＫの一つ前のＬＲＣＫに対応するＤＡＴＡ中の空き領域に示される。すなわち、図６（Ｂ）に示されるように、Ｌチャネルデータ空き領域の先頭１ビット及びＲチャネルデータ空き領域の先頭１ビットがともに０である場合、次のＬＲＣＫに対応するＤＡＴＡは録音無効期間のデータに該当する。
【００３１】
一方、図６（Ｃ）に示されるように、Ｌチャネルデータ空き領域の先頭１ビット及びＲチャネルデータ空き領域の先頭１ビットがともに１である場合、次のＬＲＣＫに対応するＤＡＴＡは録音有効期間のデータに該当する。このように音楽データ再生部１０４がＤＡＴＡにコードを埋め込むことで、第一実施形態と同様に、録音有効期間制御部１０６は録音有効期間を識別することができる。
【００３２】
図７は、本発明の第三実施形態について説明するためのタイムチャートである。この第三実施形態においては、空き領域の先頭１ビットが、当該空き領域に続くデータ格納領域内のデータが有効か無効かを示すデータ有効フラグとして使用される。すなわち、このデータ有効フラグが１のとき、データ格納領域内のデータは録音有効期間内の音楽データであり、一方、このデータ有効フラグが０のとき、データ格納領域内のデータは録音無効期間内のデータである。このように音楽データ再生部１０４がＤＡＴＡにデータ有効フラグを埋め込むことで、第一実施形態と同様に、録音有効期間制御部１０６は録音有効期間を識別することができる。
【００３３】
さらに、この第三実施形態においては、図７に示されるように、空き領域の下位１２ビットが、当該空き領域に続くデータ格納領域内のデータに対するエラー検出及び訂正符号の格納領域として使用される。通常、音楽データ再生部１０４の配線にノイズがのった場合、ノイズを検知することができない。しかし、エラーを検出し更には訂正するための符号を付加することで正常な音楽再生が可能になる。すなわち、ノイズが多い場合はＬＰＦ（低域通過フィルタ）を通すことで高周波成分を軽減させることができ、エラー訂正があれば正常な音楽を聞くことができる。音楽データ再生部１０４は、データ読み出し後にエラー検出及び訂正符号を付加する。
【００３４】
図７に示される例では、空き領域の下位１２ビットに、生成多項式Ｐ（ｘ）＝ｘ12＋ｘ11＋ｘ3＋ｘ2＋ｘ＋１に基づく１２ビットのＣＲＣ（Cyclic Redundancy Check）コードが格納される。例えば、音楽データが１６ビット「1010 0101 1100 0011」である場合、まず、このデータが２12倍され、次いで、生成多項式に対応する「1100000001111」で割られ、その余り「1111 0010 0111」が１２ビットのＣＲＣコードとして空き領域の下位１２ビットに格納される。かくして、伝送路エラーを事前に検出しエラー処理を行うことで不快感の無い音楽を提供することができる。なお、前述の第二実施形態においても、エラー検出及び訂正符号を付加することができる。
【００３５】
図８は、本発明の第四実施形態について説明するためのタイムチャートである。この実施形態では、前述の第三実施形態と同様に、空き領域の先頭１ビットが、当該空き領域に続くデータ格納領域内のデータが有効か無効かを示すデータ有効フラグとして使用される。さらに、この実施形態では、空き領域の先頭２ビット目が、フィルタ係数有効フラグとして使用される。すなわち、このフィルタ係数有効フラグが１の場合には、空き領域の下位１４ビットにフィルタ係数値が格納されている。なお、右詰め又は左詰めの区別が予め設定される。そして、フィルタの段数と同一の数のＬＲＣＫの期間、フィルタ係数が伝送される。
【００３６】
この実施形態は、車載環境におけるノイズの発生を抑制するために使用される。例えば、音楽データ再生部１０４に振動センサを取り付けることにより、振動時に受信側にＬＰＦを使用すべきことを伝えることができる。また、電圧の低下や車速に応じて設定することも有効である。かくして、音楽データ再生部１０４におけるメカニカルなエラーを検出しキャンセルすることができ、車両といった環境でも不快感のない音楽を提供することができる。なお、前述の第一及び第二実施形態においても、フィルタ係数値を付加することができる。
【００３７】
図９は、本発明の第五実施形態について説明するためのタイムチャートである。この実施形態では、前述の第三及び第四実施形態と同様に、空き領域の先頭１ビットが、当該空き領域に続くデータ格納領域内のデータが有効か無効かを示すデータ有効フラグとして使用される。さらに、この実施形態では、空き領域の先頭２ビット目が、再生速度（デッキ速度）設定情報有効フラグとして使用される。
【００３８】
この再生速度設定情報有効フラグが１の場合には、空き領域の下位２ビットが再生速度設定情報として有効であることを表している。例えば、当該２ビットは、「００」のとき１倍速、「０１」のとき２倍速、「１０」のとき４倍速、「１１」のとき８倍速を表す。事前に再生速度情報を伝送しておけば、受信側で自動的に設定することができる。このような再生速度設定情報は、データ無効時に伝送されることが望ましい。なお、前述の第一及び第二実施形態においても、再生速度設定情報を付加することができる。
【００３９】
図１０は、本発明の第六実施形態について説明するためのタイムチャートである。この実施形態では、前述の第三、第四及び第五実施形態と同様に、空き領域の先頭１ビットが、当該空き領域に続くデータ格納領域内のデータが有効か無効かを示すデータ有効フラグとして使用される。さらに、この実施形態では、空き領域の先頭２ビット目が、アーティスト・楽曲情報有効フラグとして使用される。すなわち、このアーティスト・楽曲情報有効フラグが１の場合には、空き領域の下位１４ビットにアーティスト・楽曲情報が格納されている。そして、必要なデータ量分だけ伝送される。なお、前述の第一及び第二実施形態においても、アーティスト・楽曲情報を付加することができる。
【図面の簡単な説明】
【００４０】
【図１】本発明によるデータ再生記録装置の一実施形態としての音楽データ再生記録装置の構成を示すブロック図である。
【図２】音楽データ再生記録装置におけるデータ転送の様子を示すタイムチャートである。
【図３】図２における部分２０２を拡大して示す図である。
【図４】本発明の第一実施形態について説明するためのタイムチャートである。
【図５】本発明の第一実施形態の録音制御を示すフローチャートである。
【図６】本発明の第二実施形態について説明するためのタイムチャートである。
【図７】本発明の第三実施形態について説明するためのタイムチャートである。
【図８】本発明の第四実施形態について説明するためのタイムチャートである。
【図９】本発明の第五実施形態について説明するためのタイムチャートである。
【図１０】本発明の第六実施形態について説明するためのタイムチャートである。
【符号の説明】
【００４１】
１００    音楽データ再生記録装置
１０２    システムコントローラ
１０４    音楽データ再生部
１０６    録音有効期間制御部
１０８    高速エンコーダ
１２０    ＣＤ（又はＤＶＤ）
１２２    ハードディスク（ＨＤ）
【図１】
2008016094.tif 000003
【図２】
2008016094.tif 000004
【図３】
2008016094.tif 000005
【図４】
2008016094.tif 000006
【図５】
2008016094.tif 000007
【図６】
2008016094.tif 000008
【図７】
2008016094.tif 000009
【図８】
2008016094.tif 000010
【図９】
2008016094.tif 000011
【図１０】
2008016094.tif 000012